(57)【要約】【構成】本発明は、動物の乳首の位置などの、空間に存在する少なくとも１つの物体の位置を検出決定する装置、システムおよび/または方法である。本装置は、センサー列から構成することができる。センサー列の各センサーは、トランスミッター/レシーバー対からなる。各対内のトランスミッターおよびレシーバーは、所定の角度で配置し、信号を通じて空間における物体を検出する。本発明の実施態様は、一つかそれ以上の検出装置からなり、空間における一つかそれ以上の物体を検出することができる。本発明装置は、搾乳動物の搾乳を行うシステムに適用することができる。【選択図】図１
2013530392.tif 000002
【特許請求の範囲】
【請求項１】
空間における物体を検出決定する装置において、センサー列からなり、このセンサー列における各センサーが照射ビームを空間に実質的に照射できるトランスミッター手段、および空間において検出場を画定できるレシーバー手段、および前記照射ビームと検出場との間の交差部において空間に検出ゾーンを形成するように前記センサー列内に配列された前記トランスミッター手段および前記レシーバー手段を有し、前記レシーバー手段が、前記照射ビームの前記物体により反射され、かつ前記検出ゾーン内の前記物体によって反射された照射ビームを受信できるとともに、前記レシーバー手段が前記検出ゾーン内にある前記物体からの前記反射ビームに応答して出力信号を発生でき、前記それぞれの検出ゾーン内の前記物体に実質的に同時に応答して、前記センサー列における前記受信手段のすべて、あるいは実質的にほぼすべてが出力信号を発生した時に前記物体が空間において検出決定されることを特徴とする検出決定装置。
【請求項２】
前記照射ビームが、狭い幅のビームである請求項１に記載の装置。
【請求項３】
前記照射ビームが、約０°〜約１０°の幅を有する請求項１に記載の装置。
【請求項４】
前記照射ビームが、可視光ビーム、赤外光ビームまたはレーザービームである請求項２に記載の装置。
【請求項５】
前記レシーバー手段が、受光光電素子である請求項４に記載の装置。
【請求項６】
前記照射ビームが超音波ビームで、そして前記レシーバー手段が超音波受信素子である請求項２に記載の装置。
【請求項７】
前記照射ビームが第１軸にそって進行し、前記検出場が第２軸にそって画定され、そして前記第１軸と前記第２軸とがなす角度が約１０°〜約８０°である請求項１に記載の装置。
【請求項８】
前記トランスミッター手段が前記センサー列の中心部に配列され、そして前記レシーバー手段が前記センサー列の周辺部でかつ前記トランスミッター手段の周囲に配列された請求項１に記載の装置。
【請求項９】
前記レシーバー手段が前記センサー列の中心部に配列され、そして前記トランスミッター手段が前記センサー列の周辺部でかつ前記レシーバー手段の周囲に配列された請求項１に記載の装置。
【請求項１０】
前記トランスミッター手段および前記レシーバー手段が、基底面に対して垂直な中心軸の周囲において前記センサー列の前記基底面に配列された請求項１に記載の装置。
【請求項１１】
各センサーの前記トランスミッター手段および前記レシーバー手段が、前記基底面に対して垂直な中心面の同じ側に設けられ、そして前記トランスミッター手段および前記レシーバー手段が、前記中心面に向かって実質的に傾斜するように位置決めされ、前記トランスミッター手段および前記レシーバー手段の前記第１軸および第２軸が前記中心面と交差し、対応する検出ゾーンが前記中心面の反対側に設けられる請求項１０に記載の装置。
【請求項１２】
さらに、前記レシーバー手段からの出力信号に応答して作動する演算手段を有する請求項１に記載の装置。
【請求項１３】
さらに、前記センサー列を収めるハウジングを有する請求項１に記載の装置。
【請求項１４】
前記物体が、搾乳動物の乳首である請求項１に記載の装置。
【請求項１５】
所定数のセンサー列を有し、これらセンサー列の個数が前記搾乳動物の乳首数に対応する請求項１４に記載の装置。
【請求項１６】
前記搾乳動物が乳牛であり、前記装置が４つのセンサー列を有する請求項１４に記載の装置。
【請求項１７】
空間における物体を検出決定する方法であって、（ａ）請求項１の装置を前記空間における物体の実質的な近傍位置である開始位置に移動させるステップ、（ｂ）前記照射ビームを前記物体に照射するステップ、および（ｃ）前記物体が前記センサー列内のすべての、あるいは実質的にすべての前記センサーの前記検出ゾーン内にくるまで、前記装置を前記開始位置から検査パターンで移動させることによって、前記検出ゾーン内の前記物体に応答して信号を発生するステップからなり、前記信号を使用して空間における前記物体を検出決定することを特徴とする空間における物体を検出決定する方法。
【請求項１８】
さらに、前記信号をコンピュータ手段に伝達することからなる請求項１７に記載の方法。
【請求項１９】
前記演算手段が、前記信号に基づいて前記装置の動きを制御できる請求項１８に記載の方法。
【請求項２０】
前記演算手段が、前記信号に基づいてある装置の出力を制御できる請求項１８に記載の方法。
【請求項２１】
前記のある装置が、搾乳装置である請求項２０に記載の方法。
【請求項２２】
（ａ）請求項１の装置を被搾乳動物の乳首の実質的な近傍位置である開始位置に移動させ、
（ｂ）空間に照射ビームを照射し、
（ｃ）前記乳首が所定数の装置のすべての、あるいは実質的にすべてのセンサーの検出ゾーン内に来るまで前記装置を前記開始位置から検索パターンで移動させて、前記検出ゾーン内の前記乳首の数に応答して信号を発生し、
（ｄ）これら信号を使用して前記乳首の位置を求め、
（ｅ）この位置に向けて搾乳手段を移動させ、そして
（ｆ）前記乳首を前記搾乳手段に係合し、動物の搾乳を行うことからなることを特徴とする搾乳方法。
【請求項２３】
（ａ）被搾乳動物の乳首に搾乳手段を自動的に、あるいは半自動的に接続する搾乳装置および（ｂ）前記搾乳手段に対して前記乳首の位置を検出決定する一つかそれ以上の装置からなり、前記の一つかそれ以上の装置のそれぞれがセンサー列からなり、このセンサー列における各センサーが照射ビームを照射できるトランスミッター手段および空間において検出場を画定できるレシーバー手段を有し、前記照射ビームと前記検出場との交差部において空間における検出ゾーンが形成されるように前記トランスミッター手段および前記レシーバー手段が配列され、前記レシーバー手段が、空間における前記検出ゾーン内の乳首からの反射ビームに応答して信号を発生でき、そして前記センサー列内のすべてか、あるいは実質的にすべてのレシーバー手段がそれぞれの検出ゾーン内の乳首に実質的に同時に応答して信号を発生した時に前記乳首が検出されることを特徴とする搾乳システム。
【発明の詳細な説明】
【関連出願への相互参照】
【０００１】
本出願は、米国仮特許出願第６１/３４５，０１１号（出願日：２０１０年５月１４日）および米国仮特許出願第６１/３５１，６８７号（出願日：２０１０年６月４日）の米国特許法第１１９（ｅ）条による優先権を主張する出願である。これら出願の内容は、いずれも本開示に援用するものとする。
【技術分野】
【０００２】
本発明は、空間における物体の位置を検出決定する装置、システムおよび方法に関する。より具体的には、本発明は、動物の乳首の三次元的位置を検出する装置、システムおよび方法に関する。
【背景技術】
【０００３】
乳牛などの搾乳動物を対象とする自動システムおよび半自動システムは公知である。これらシステムの重要な技術面は、動物の乳首を検出決定することである。
【０００４】
従来の乳首検出決定システムの一部の場合、デュアル超音波センサーを使用して、乳首までの距離を測定する。この場合、超音波信号を解析するためには、複雑なコンピュータアルゴリズムが必要である。
【０００５】
同様に、多重レーザーセンサーを備えたシステムを使用して、信号を発信し、乳首までの距離を測定している。ここでも同じように、信号を解析し、乳首位置を計算するためにコンピュータアルゴリズムが必要である。例えばＵＳＰ６，６４７，９１９には、光線または光線ビームを射出するトランスミッター素子、およびこれら光線または光線ビームの反射を受信するレシーバー素子を備えた、動物乳首の空間位置を決定する装置が開示されている。本発明では、乳首の全体から見た位置および異なるレベルにおけるその位置を三角形分割（ｔｒｉａｎｇｕｌａｔｉｏｎ）によって求める。
【０００６】
動物乳首の空間位置を決定する他のシステムもあるが、いずれも複雑であり、酪農分野では十分な耐久性に欠けている。例えば、ＵＳＰ６，１１８，１１８に開示されているセンサー装置はベルト/モーターによって回転駆動されるレフレクターなどの可動部分、複雑な光学素子、およびビデオ処理素子を備えている。
【０００７】
一般的にいって、従来技術の場合、距離測定および/または複雑な信号解析処理を使用して、乳首位置を決定している。
【先行技術文献】
【特許文献】
【０００８】
【特許文献１】ＵＳＰ６，６４７，９１９
【特許文献２】ＵＳＰ６，１１８，１１８
【発明の概要】
【発明が解決しようとする課題】
【０００９】
本発明の一つの実施態様は、空間における物体を検出決定する装置において、センサー列からなり、このセンサー列における各センサーが照射ビームを空間に実質的に照射できるトランスミッター手段、および前記照射ビームと検出場との間の交差部において空間に検出ゾーンを生成するように前記センサー列内に配列されたレシーバー手段を有し、前記レシーバー手段が、前記照射ビームの前記物体により反射され、かつ前記検出ゾーン内の前記物体によって反射された反射ビームを受信できるとともに、前記レシーバー手段が前記検出ゾーン内にある前記物体からの前記反射ビームに応答して出力信号を発生でき、前記それぞれの検出ゾーン内の前記物体に実質的に同時に応答して、前記センサー列における前記受信手段のすべて、あるいは実質的にほぼすべてが出力信号を発生した時に、前記物体が空間において検出決定されることを特徴とする検出決定装置に関する。
【課題を解決するための手段】
【００１０】
本発明の別な実施態様は、以下のステップ、（ａ）空間における物体を検出決定する本発明装置を前記空間における物体の実質的な近傍位置である開始位置に移動させるステップ、（ｂ）前記照射ビームを前記物体に照射するステップ、および（ｃ）前記物体が前記センサー列内のすべての、あるいは実質的にすべての前記センサーの前記検出ゾーン内にくるまで、前記装置を前記開始位置から検査パターンで移動させることによって、前記検出ゾーン内の前記物体に応答して信号を発生するステップからなり、前記信号を使用して空間における前記物体を検出決定することを特徴とする空間における物体を検出決定する方法に関する。
【００１１】
本発明のさらに別な実施態様は、（ａ）多数の照射ビームを空間に照射し、（ｂ）多数の検出場を空間に生成し、各検出場を一つの照射ビームと対にし、そして各検出場を検出ゾーンにおいてその対となる照射ビームと交差させて、多数の検出ゾーンを画定し、（ｃ）多数の対となった検出ゾーンの一つかそれ以上の内部にある物体に応答して信号を発生し、そして（ｄ）制御素子（ｃｏｎｔｒｏｌｌｅｒ）手段を使用して、前記の発生した信号に基づいて空間における前記物体の位置を決定することからなることを特徴とする空間における物体の検出決定方法に関する。
【００１２】
本発明のさらに別な実施態様は、（ａ）空間における物体を検出決定する本発明装置を被搾乳動物の乳首の実質的な近傍位置である開始位置に移動させ、（ｂ）この乳首に照射ビームを照射し、（ｃ）前記乳首が所定数の装置のすべての、あるいは実質的にすべてのセンサーの検出ゾーン内に来るまで前記装置を前記開始位置から検索パターンで移動させて、前記検出ゾーン内の前記乳首に応答して信号を発生し、（ｄ）これら信号を使用して前記乳首の位置を求め、（ｅ）この位置に向けて搾乳手段を移動させ、そして（ｆ）前記乳首を前記搾乳手段に係合し、被搾乳動物の搾乳を行うことからなる搾乳方法に関する。
【００１３】
本発明のさらに別な実施態様は、（ａ）被搾乳動物の乳首に搾乳手段を自動的に、あるいは半自動的に接続する搾乳装置および（ｂ）前記搾乳手段に対して前記乳首の位置を検出決定する一つかそれ以上の装置からなり、前記の一つかそれ以上の装置のそれぞれがセンサー列からなり、このセンサー列における各センサーが照射ビームを照射できるトランスミッター手段および空間内に検出場を画定できるレシーバー手段を有し、前記照射ビームと前記検出場との間の交差部において空間における検出ゾーンが生成されるように前記トランスミッター手段および前記レシーバー手段が配列され、前記レシーバー手段が、空間における前記検出ゾーン内の乳首に応答して信号を発生でき、そして前記センサー列内のすべてか、あるいは実質的にすべてのレシーバー手段がそれぞれの検出ゾーン内の乳首に実質的に同時に応答して信号を発生した時に前記乳首が検出されることを特徴とする搾乳システムに関する。
【００１４】
以下の詳細な説明により本発明をよりよく理解できるはずであり、また本発明の目的が明らかになるはずである。以下添付図面を参照して本発明を説明する。
【図面の簡単な説明】
【００１５】
【図１】本発明の一実施態様のセンサー列の構成を示す図である。
【図２Ａ】本発明の一実施態様のセンサー列の構成を示す側面図である。
【図２Ｂ】図２Ａに示した構成の上面図である
【図２Ｃ】図２Ａに示した構成の側面図であって、センサーを示し、かつこのセンサーによって形成された検出ゾーンを示す図である。
【図３Ａ】本発明の一実施態様において、空間における物体に対するセンサーの位置を示す図である。
【図３Ｂ】本発明の一実施態様において、空間における物体に対する２つのセンサーの位置を示す図である。
【図３Ｃ】本発明の一実施態様において、空間における物体に対する３つのセンサーの位置を示す図である。
【図３Ｄ】本発明の一実施態様において、空間における物体に対する４つのセンサーの位置を示す図である。
【００１６】
なお、図示の本発明実施態様は、例示のみを目的としている。即ち、明細書の開示および添付図面は、明らかに例示のみを目的とし、理解の一助になるもので、本発明の範囲を限定するものではない。
【発明を実施するための形態】
【００１７】
本発明は、空間に存在する少なくとも１つの物体、例えば動物の乳首の位置を検出決定する検出装置、システムおよび/または方法である。本発明の実施態様は、一つかそれ以上の検出装置を有し、空間に存在する一つかそれ以上の物体を検出するために利用することができる。一つかそれ以上のセンサーを有するセンサー装置は、乳首の位置を決定するために利用することができる。各センサーは、トランスミッター/レシーバー対で構成することができる。各対内のトランスミッター/レシーバーは、オン/オフ信号からなる信号を使用して空間内の物体を検出できるように所定の角度で配設することができる。
【００１８】
特に断らない限り、本開示で使用する技術的用語、科学的用語はいずれも、本発明が属する分野において当業者が通常理解している意味と同じ意味をもつ。また、特許請求の範囲の記載を除いて特に断らない限り、“または（あるいは）”は、“および（そして）”などの意味を包含するものであり、逆も成立する。非制限的な用語術語も、特に断らない限り、あるいはそれ以外の明示がない限り、制限的な意味はない。（例えば、“含む”、“有する”および“構成する”といった表現は、通常、“制限することなく含有する”といった意味をもつ。）例えば、特に断らない限り、特許請求の範囲の記載などにおける単数表現は、複数表現や限定表現を含むものである。
【００１９】
本発明は一つの実施態様において、空間に存在する物体を検出決定する装置を提供するものである。この装置はセンサー列からなり、センサー列の各センサーは、照射ビームを照射できるトランスミッター手段、および空間に検出場を画定できるレシーバー手段を有していればよく、トランスミッター手段およびレシーバー手段は、空間内に検出ゾーンまたは検出容積を画定できるように配列すればよい。具体的には、トランスミッター手段およびレシーバー手段については、実質的に照射されたビームおよび検出場が、照射ビームと検出場との間の交差部に位置することができる、空間内の検出ゾーンまたは検出容積を画定できるように配置すればよい。実質的に照射された場合、照射ビームが空間内の物体に当たる。物体が検出ゾーンにある場合には、検出ゾーン内にある物体から反射した反射ビームを受け取り、これによって空間内の検出ゾーン内の物体に応答して信号を発生できる。本発明の一つの実施態様では、装置内のセンサー列は、空間内に多数の検出ゾーンを画定できるように構成すればよい。センサー列のすべての、あるいは実質的にすべてのレシーバーがそれぞれ検出ゾーン内の物体からの反射に実質的に同時に応答して信号を発生した時に物体が検出決定される。
【００２０】
本発明のセンサー装置の場合、センサー信号を処理する演算量は最少で済み、乳首の位置を決定できる。また、この装置は、酪農分野やその他の産業分野に使用してもその耐久性を十分に発揮することができる。
【００２１】
また、本発明の一実施態様の場合、２つかそれ以上のトランスミッター/レシーバー対からなり、各対のトランスミッターおよびレシーバーを空間内に検出ゾーンを画定できるように配設し、前記レシーバーがこの検出ゾーン内の物体に応答して信号を発生し、そしてセンサー列のすべての、あるいは実質的にすべてのレシーバーがそれぞれの検出ゾーン内に存在する物体に同時に応答して信号を発生した時に空間内において物体が検出決定されることを特徴とする空間における物体の検出決定装置を提供するものである。
【００２２】
前記レシーバー手段は、空間内の検出ゾーン内にある物体に応答して信号を発生するだけでもよい。この検出ゾーンは、レシーバー手段が照射ビームの物体からの反射を受け取り、これを検出できる場所またはゾーンとして定義することができる。トランスミッター手段からの光などの実質的に照射されたビームは物体に当たり、この物体を拡散的に検出し、反射ビームを発生する。物体が検出ゾーン内にある場合には、物体から反射したビームの一部がレシーバー手段によって検出され、信号の切り替え操作が開始する。物体が検出ゾーンにない場合には、反射ビームはレシーバー手段によって検出されない。受光および反射なしのこれら２つの状態を利用して、検出範囲内における物体の有無を決定することができる。このシステムの場合、十分な反射作用をもつ動物の乳首などの物体を検出することができる。反射作用が小さい（即ち、黒いマット粗面）をもつ物体の場合には、ショートレンジを対象とした、あるいは背景を抑制した拡散反射センサーを利用するほうがよい。次に、レシーバーが離散的なオン/オフ信号を発生し、受光された反射ビームの有無を示す。本発明の一つの実施態様の場合、例えば、信号は約ゼロボルト（オフ）デジタル信号か、あるいは約５ボルト（オン）デジタル信号であればよい。当業者ならば、この信号が論理的なデシジョンメーキングのための通信信号に過ぎないため、この信号の正確な性質が本発明にとって有意でないことを理解できるはずである。センサー列のすべての、あるいは実質的にすべてのレシーバー手段がそれぞれの検出ゾーン内にある物体に対して同時に応答して信号を発生した時に、物体を空間において特異的な位置をもつものとして確認することができる。
【００２３】
本発明は、空間において物体を検出決定する方法を含む実施態様を包摂するものである。この方法は少なくとも以下の３つのステップからなる。ステップ（ａ）で、空間における物体を検出決定する本発明装置を空間における物体の実質的な近傍位置である開始位置に移動させ、ステップ（ｂ）で照射ビームを物体に照射し、そしてステップ（ｃ）で検索パターンで開始位置からすべての、あるいは実質的にすべてのレシーバーが空間内のそれぞれの検出ゾーン内の物体に応答して信号を発生するまで本発明装置を移動させ、これによって空間における物体を検出決定する。
【００２４】
本発明の別な実施態様の場合、空間における物体の検出決定方法に以下のステップを付設する。即ち、ステップ（ａ）で空間に多数の照射ビームを照射し、ステップ（ｂ）で空間に多数の検出場を画定し、各検出場が一つの照射ビームと対を構成し、各検出場が検出ゾーンにおいてその対を構成する照射ビームと交差し、これによって多数の検出ゾーンを画定し、ステップ（ｃ）で所定数の対化（対になった）検出ゾーン（ｐａｉｒｅｄ  ｄｅｔｅｃｔｉｏｎ  ｚｏｎｅｓ）のうち一つかそれ以上のゾーン内の物体に応答して信号を発生し、そしてステップ（ｄ）で制御素子手段を使用して、発生信号に基づいて空間における物体を検出決定する。
【００２５】
本発明の一つの実施態様は、搾乳システムであって（ａ）被搾乳動物の乳首に乳首カップなどの搾乳手段を自動的に、あるいは半自動的に接続する搾乳装置および（ｂ）前記搾乳手段に対して前記乳首の位置を検出決定するひとつかそれ以上の検出装置からなるシステムである。各検出装置がセンサー列からなり、このセンサー列における各センサーが照射ビームを空間に実質的に照射できるトランスミッター手段を有し、そして各センサーが空間内に検出場を画定できるレシーバー手段を有する。前記照射ビームと前記検出場との交差部において空間における検出ゾーンが形成されるように前記トランスミッター手段および前記レシーバー手段を配列する。前記レシーバー手段が、空間における前記検出ゾーン内の乳首に応答して信号を発生し、そして前記検出装置内のすべてか、あるいは実質的にすべてのレシーバーがそれぞれの検出ゾーン内の乳首に同時に応答して信号を発生した時点で搾乳手段における特定の空間において前記乳首が検出される時点とする。
【００２６】
本発明は、従来技術と比較して特異な作用効果を発揮できるものである。従来技術の場合には、よく知られているように複雑なセンサー、プロセッサーおよび/またはアルゴリズムを使用して、空間における物体を検出している。例えば一部の従来例では、距離測定および/または複雑な信号解析を使用して、乳首位置を決定している。本発明は、従来技術と比較して空間における物体を検出するために複雑なセンサー、プロセッサーまたはアルゴリズムを利用せず、またこれらを使用する必要もない作用効果がある。
【００２７】
さらに従来技術と比較した場合、本発明には、従来発明に利用されている回転鏡などの可動部、複雑な光学素子またはビデオ映像処理などを必要としない作用効果もある。本発明の場合には、物理的に耐久性が高く、酪農環境に特に好適なセンサーを利用することができる。本発明のセンサーは回転鏡などの可動部を利用せず、また複雑な光学素子またはビデオ映像処理も必要としない。
【００２８】
まず図１について説明する。本発明装置の例示的な実施態様は、（図示していない）ハウジング内に設けることができる２つ以上のセンサーからなるセンサー列１０を備える。センサー列１０内の各センサーはレシーバー手段３およびトランスミッター手段４から構成することができる。図１の概略図には、ちょうど４つのセンサー３/４、３ａ/４ａ、３ｂ/４ｂ、３ｃ/４ｃを示す。当業者ならば、本発明の別な実施態様では、例えばセンサー数が２、３、４あるいは５以上のセンサー列も可能であることを認識できる。
【００２９】
照射ビーム６は、実質的に各トランスミッター手段４、４ａ、４ｂ、４ｃから狭い幅で空間に照射することができる。センサー列の各レシーバー手段３、３ａ、３ｂ、３ｃは、検出場５を画定することができる。各検出場は、各レシーバー手段が光線を射出するものと想定した場合、レシーバー手段から射出する光束の形状に対応する。ビーム６および検出場５は、それぞれ軸６ｃおよび５ｃにそって進む。ビーム６および検出場５はそれぞれ断面積が小さく、本発明装置１０の検出ゾーン７とすることができる、所定の小さな検出場で相互交差する。この検出場５は、照射ビーム６に対して、例えば軸６ｃと５ｃとの間に角度αをもって設定配設し、空間内に検出ゾーン７または検出場７を形成できるようにすればよい。換言すれば、検出ゾーン７は、実質的にトランスミッター手段４から照射される照射ビーム６とレシーバー３の検出場５との交差部に画定することができる。トランスミッター手段とレシーバー手段との間のこの構成は、従来から“明確に限定された反射（ｄｅｆｉｎｉｔｅ  ｒｅｆｌｅｃｔｉｖｅ）”として知られている。これは、エミッタービーム経路およびレシーバービーム経路が空間における“明確に限定された”位置において交差することを意味する。そしてこの交差部が検出ゾーンまたは検出容積になる。
【００３０】
トランスミッター手段４から射出されたビームの一部は軸６ｃにそって進み、空間内の物体５に当たる。物体５が検出場７内にある場合には、このビームの一部が物体２から反射または散乱して戻り、レシーバー手段３に当たる。
【００３１】
各センサーについては、“ｎ”個の検出ゾーンが空間内に画定されるように設けるか配列すればよい。本発明のこのような実施態様の場合、“ｎ”個はセンサー列のセンサー数に等しい。例えば、本発明の一つの実施態様では、“ｎ”個はセンサー数が２、３、または４以上を意味する。二次元において物体の位置を決定するためには、２つのセンサーがあれば十分である。この原理は、一つかそれ以上のレシーバー素子を利用すると三次元まで拡張することができる。図１において、本発明実施態様に使用されているように、トランスミッター手段およびレシーバー手段からなる一つの考えられる構成を示す。
【００３２】
さらに図１について説明を続けると、レシーバー手段３は、このレシーバー手段３の検出ゾーン７内にある物体２に応答して“オン”信号または“オフ”信号を出力、あるいは発生することができる。（動物の乳房１に位置することがある）動物の乳首などの物体２が検出ゾーン７に交差して入ると、物体２に接触している照射ビーム６の反射信号がレシーバー手段３によって受信される。即ち、レシーバー手段３の出力が低出力から高出力に変化し、この逆の変化もあり得る。本発明装置のすべての、あるいは実質的にすべてのレシーバー手段が反射信号を受信した時点が、物体２の検出時点になる。
【００３３】
各センサー（即ち、トランスミッター/レシーバー対）はさらにエミッタービームまたはレシーバービームを合焦することができるレンズ、およびセンサーの光源およびデシジョンメーキング機能を有することができる増幅器を有する。
【００３４】
トランスミッター手段（ｔｒａｎｓｍｉｔｔｅｒ  ｍｅａｎｓ）としては、ファイバー光学トランスミッターを使用することができ、照射ビームの光源を設けることができる遠隔位置からビームを照射することができる。レシーバー手段にも、ファイバー光学素子を介して反射信号を遠隔地のレシーバーに送信することができるファイバー光学レシーバー手段を使用することができる。なお、図１に示す本発明の実施態様では、トランスミッター手段４およびレシーバー手段３として示す構成成分はそれぞれビームがトランスミッターから射出する点および反射ビームがレシーバーによって受光される点を表すが、実際のレシーバー手段および/またはトランスミッター手段を表しているわけではない。このような本発明の実施態様では、トランスミッター手段およびレシーバー手段はセンサー列１０から離れた距離に設けることができる。
【００３５】
センサーにおける照射ビームと検出場との間の角度αは、異なる検出場（ｚｏｎｅｓ  ｏｆ  ｄｅｔｅｃｔｉｏｎ）に合わせて調節することができる。本発明のこの点に関する操作性を高くするために、センサー内におけるトランスミッター手段およびレシーバー手段の形状および位置はセンサー列内で変更可能である。センサー列は周辺部分と中心部分とを有する。図１にセンサー列１０におけるセンサーの一つの考えられる構成を示す。この場合、図１に示すように、トランスミッター手段４、４ａ、４ｂ、および４ｃは実質的にセンサー列１０の中心部に配置することができ、そしてレシーバー手段３、３ａ、３ｂ、および３ｃはセンサー列１０の周辺部に配置することができる。あるいは、トランスミッター手段をセンサー列の周辺部に設けてもよく、レシーバー手段が占めていた位置に設けられることになる。このように、トランスミッター手段およびレシーバー手段は位置を交換することができる。
【００３６】
本発明の一つの実施態様の場合、トランスミッター/レシーバー対は相互の経路（ｐａｔｈ）が交差する。本発明の別な実施態様では、トランスミッター/レシーバー対はセンサー列の各角部（コーナー）に個別に設けることができる。当業者ならば、トランスミッター/レシーバー対が検出対象の物体を検出することができる検出ゾーンまたは容積を形成できる限り、センサー列内のトランスミッターおよびレシーバーの構成は任意の形態を取ることができることを認識できるはずである。
【００３７】
図２Ａ、図２Ｂおよび図２Ｃは、センサーをセンサー列２０に配列し、トランスミッター/レシーバー対をパターン中心線（ｐａｔｔｅｒｎ  ｃｅｎｔｒｅ  ｌｉｎｅ）２５の周りに設けさらに別な方法を示す図である。即ち、図２Ａおよび図２Ｃは、中心軸２８を中心にして配列したセンサー列を示す横面図であり、そして図２Ｂは、図２Ａおよび図２Ｃのセンサー列２０を示す上面図である。なお、センサー列は基底面（ｂａｓｅ  ｐｌａｎｅ）に設けることも可能であり、中心軸２８はセンサー列２０の中心に位置決めしてもよく、また基底面に対して垂直ないし鉛直構成（ｐｅｒｐｅｎｄｉｃｕｌａｒ  ｔｏ  ｔｈｅ  ｂａｓｅ  ｐｌａｎｅ）でもよい。センサー列２０のトランスミッター/レシーバー対２１ａ/２１ｂ、２２ａ/２２ｂ、２３ａ/２３ｂ、２４ａ/２４ｂはセンサー列２０の中心に実質的に向かって “傾いて”いてもよく、この場合には照射および検出場がセンサー列２０の中心軸２８上に設けられる中心面に交差するため、対応する検出容積が対応するセンサー対から中心面の反対側に位置することになる。図２Ｃについてさらに説明すると、図示のトランスミッター/レシーバー対２３ａ/２３ｂは、照射および検出場が、中心面に交差し、中心面の反対側に位置する検出容積３７を形成する。センサー列２０のセンサーについては、円２５を実質的に形成するように配列することができるため、このセンサー列の全直径を図１に示す本発明実施態様のセンサー列よりも小さくすることができる。
【００３８】
図２Ａ、図２Ｂおよび図２Ｃに示したセンサー列の構成は、特に有利である。例えば、図２Ａ、図２Ｂおよび図２Ｃに示したセンサー列はスペースを全体的に節約できるため、カップ同士の干渉を小さくするために有利である。さらに、センサーが取る実質的に円形なパターンは、その中心に開放位置２６を残すため、さらに別なセンサー、ディップスプレー処理後ノズルやレンズ取り付けホールなどを受け取るために使用することができる。
【００３９】
図２Ｃに、照射手段（ｔｒａｎｓｍｉｓｓｉｏｎ  ｍｅａｎｓ）２３ａ、レシーバー手段２３ｂ、および検出容積３７を有するセンサーを示す図である。検出容積３７は、照射手段２３ａおよびレシーバー手段２３ｂが形成するセンサーの反対側に設けることができる。
【００４０】
本発明の一つの実施態様では、照射ビームの軸と検出場の軸との間の角度αは、約１０°〜約８０°であればよく、または別な実施態様では、１０°未満の角度および８０°よりも大きい角度であればよい。
【００４１】
角度αが小さくなると、トランスミッターの主軸に対して距離解像度が低くなり、または角度αが大きくなると、センサー内のトランスミッターとレシーバーとの距離を大きく取る必要が出てくる。
【００４２】
本発明の一つの実施態様では、角度αは約３０°〜約４０°であればよい。この角度範囲は、距離解像度にとって許容可能な範囲であり、この範囲にある限り、トランスミッターとレシーバーとの距離が大きくなり過ぎ、センサーブロック体が過度に大きくなることはない。本発明の別な実施態様では、角度αは約３３．５°であればよい。
【００４３】
トランスミッターとレシーバーとがブロック体に一体化された一体化センサーは市場で入手することが可能である。角度範囲が５°〜９０°のセンサーが入手可能である。現在市場に出ている一体化センサーは、一般的に、小さなハウジングからなるため、本発明において必要な解像度および角度範囲の両者を満足できない。さらに、市場に出回っているセンサーの場合、多数のトランスミッター/レシーバー対は指向性情報を得るように指向化されていない。当業者ならば、本発明のセンサーによれば、従来技術センサーと比較した場合に、空間における物体を検出できる効果作用を実現できることを認識できるはずである。また、本発明の装置の場合、個別な２つのレンズを使用して、これらをエミッター/レシーバー対（即ちセンサー）として機能させ、これによって指向性情報を得ることのできる正確な構成をもって特異的な構成を実現することができる。本発明のシステムの場合、このような対を２つ以上、例えば４つのトランスミッター/レシーバー対をハウジング内に装着することができる。
【００４４】
本発明では、各種のビーム光源を利用することが可能である。例示すると、可視光、赤外光、レーザー、超音波である。本発明の一つの実施態様では、センサーには可視赤色光を利用することができる。例えば、本発明に利用するセンサーとしてはＫｅｙｅｎｃｅＴＭブランドセンサーを使用することが可能である。このセンサーの場合、光ファイバーラインによってレンズに可視赤色光を照射し、次にこのレンズが照射ビーム幅をほぼ２°〜４°にする。
【００４５】
トランスミッターから照射されたビームが取る経路にそって、あるいは経路間での干渉を避けるためには、あるいはこれを最小限に抑えるためには、本発明では多数の非相互的な専用の手段（ｎｏｎ−ｍｕｔｕａｌｌｙ  ｅｘｃｌｕｓｉｖｅ  ｍｅａｓｕｒｅｓ）を取ることができる。本発明の一つの実施態様では、センサー列内にセンサーを配列して、ビームが妨害的に干渉することを防止する。本発明の別な実施態様では、センサー列内のトランスミッターが実質的に発光するビームを変調して、センサー列内の各レシーバーが、センサー内の対応するトランスミッターからの信号のみを検出できるように設定する。本発明のさらに別な実施態様では、トランスミッターの照射周波数を相互に変え、各レシーバーをその対応するトランスミッターの周波数に同調させる。本発明のさらに別な実施態様では、トランスミッターの照射振幅も変える。当業者ならば、本発明はこれら以外の実施態様でも実施可能であり、また本発明の実施態様では、以上説明してきた手段の２つ以上を組み合わせて利用することも可能であることを認識できるはずである。
【００４６】
本発明で利用するセンサーの型式に関係なく、トランスミッターによって発生する照射ビームは狭ビームであればよい。例えば、トランスミッターが照射するビームは、狭範囲に狭めたビームであればよい。狭ビームを使用すると、本発明の操作性が向上する。本発明の一つの実施態様では、ビーム幅は、約０°〜約１０°であればよく、本発明の別な実施態様では、狭ビームは約０°〜約４°であればよい。理想をいえば、ビーム幅はできるだけゼロに近いほうがよいが、ビーム幅の好適な操作範囲は２°〜４°である。当業者ならば、例えば１０°までのビーム幅などの比較的広いビーム幅範囲でも本発明は実施可能であることを認識できるはずである。
【００４７】
本発明装置の一つの重要な用途は、例えば乳牛の乳首などの動物の乳首を検出することである。動物の一つ以上の乳首を検出する主目的は、例えば乳首カップなどの搾乳装置を動物に装着することである。当業者ならば、本発明は、洗浄処理、浸漬前処理、浸漬後処理、あるいは動物乳首の位置を検出する必要のあるその他の処理を行うために乳首を検出するためにも利用できることを認識できるはずである。
【００４８】
動物を対象として本発明を利用する場合、本発明は乳牛の乳首を検出ために使用することができる。当業者ならば、例えばヤギ、水牛やその他の搾乳動物などの乳牛以外の動物の乳首を検出するためにも本発明を利用できることを認識できるはずである。
【００４９】
本発明の各装置は、動物の乳首の一つを検出できるように設計することができる。なお、本発明の一つの実施態様は、本明細書で説明した２つかそれ以上の検出装置を有し、これによって動物の２つ以上の乳首を検出する。各検出装置はセンサー列からなり、各センサーは、本明細書で説明したトランスシーバー/レシーバー対から構成することができる。また、各検出装置は動物の乳首の一つを検出できる。例えば、本発明のこのような実施態様を乳牛などの乳首数が４の動物に適用した場合、使用する検出装置数は最大４であり、４以下の各検出装置がそれぞれ一つの乳首を検出する。即ち、本発明のこの実施態様の第１検出装置は、乳牛の第１乳首を検出するために使用でき、本発明のこの実施態様の第２検出装置は、乳牛の第２乳首を検出するために使用でき、本発明のこの実施態様の第３検出装置は、乳牛の第３乳首を検出するために使用でき、本発明のこの実施態様の第４検出装置は、乳牛の第４乳首を検出するために使用できる。
【００５０】
本発明の別な実施態様では、本発明の一つかそれ以上の検出装置を利用して、空間内における多数の物体を検出装置に対して検出することができる。本発明の一つの具体的な実施態様において使用する検出装置の個数は、空間における物体数に対応させることができる。空間において一つの物体を検出する必要がある場合、一つの検出装置を備えた本発明の実施態様を使用することができ、空間において２つ以上の物体、例えば乳牛の乳房にある２つ以上の乳首、あるいは複数の物体を有する複数組を検出する必要がある場合、２つ以上の検出装置を備えた本発明の実施態様を使用することができる。従って、本発明の実施態様では、一つか、それ以上の検出装置からなる多数の検出装置を使用することができる。
【００５１】
一つかそれ以上の検出装置を備えた本発明の実施態様は、搾乳動物を搾乳するシステムの要部としても利用することができる。例えば、本発明の一つの実施態様を利用した動物の搾乳システムは、（ａ）搾乳対象の動物の一つかそれ以上の乳首に乳首カップなどの搾乳手段を自動的に、あるいは半自動的に接続する搾乳装置、および（ｂ）それぞれが搾乳対象の動物の一つの乳首の位置を検出決定する一つかそれ以上の本発明装置からなる。検出装置が一つかそれ以上の乳首の位置を検出し、そして搾乳装置が動物の検出された一つかそれ以上の乳首それぞれに乳首カップを自動的に、あるいは半自動的に接続する。従って、検出装置が一つかそれ以上の乳首の位置に関する情報、あるいはその他の形態の指示を発生し、伝達する。搾乳装置が伝達された情報またはその他の形態の情報を利用して、乳首カップを接続すべき一つかそれ以上の乳首の位置を決定する。乳首に乳首カップが装着されると、搾乳装置が機能して、動物をよく知られた方法で搾乳する。一つの実施態様の場合、搾乳動物の搾乳装置はモジュラー式装置であればよく、この装置は主支持体、主支持体に連結された所定数の独立したモジュラーアーム（例えば、乳牛の搾乳の場合には４本のモジュラーアーム、あるいはヤギの搾乳の場合には２本のモジュラーアーム）、および各モジュラーアームのそれぞれに回動自在に連結されたアームツール（“ＥＯＡＴ”）の端部から構成することができる。一つのこのようなモジュラー式搾乳装置は、本出願人による米国優先特許出願第６１/３５１，６８７号に開示され、この開示は本明細書に援用するものとする。
【００５２】
本発明の検出装置は、ＥＯＡＴに組み込むことができる。モジュラーアームが実質的にＺ方向、Ｙ方向およびＸ方向に移動できるため、動物の乳首を走査でき、動物下部位置にＥＯＡＴを位置決めすることができる。
【００５３】
本発明の一つの実施態様の場合、センサーの増幅器内のデジタル信号プロセッサーがレシーバーからの信号を処理し、離散的なオン/オフ信号出力をもってデシジョンメーキング制御素子に応答する。コンピュータやプログラム式ロジック制御素子（ＰＬＣ）などの制御素子が、本発明の一つの実施態様における一つかそれ以上の検出装置のレシーバーのうち一つかそれ以上の出力を受け取り、これを利用する。検出装置は、一つの装置でもよく、あるいは２つかそれ以上の検出装置からなる装置列でもよい。一つかそれ以上の検出装置を空間において移動させ、空間において検出すべき一つかそれ以上の物体を検出する必要がある位置に関するロジックデシジョンを下すか、決定する過程で前記出力が制御素子、コンピュータまたはＰＬＣによって使用される。本発明の実施態様では、制御素子、コンピュータまたはＰＬＣはさらに一つかそれ以上の検出装置それぞれの各センサーの角度または目的を決定し、本発明によって空間における一つかそれ以上の物体を有効に、効率的におよび/または迅速に検出できるように構成する。
【００５４】
制御素子によって、一つかそれ以上の検出装置が、好ましくは一つかそれ以上の検出装置それぞれが備えたすべてのレシーバーから信号を発生するように移動し、一つかそれ以上の物体を検出する。レシーバーのいずれもが信号を検出しない場合には、制御素子によって検出装置が、例えば検索パターンで移動し、検出の可能性を高くする。レシーバーのうち一つかそれ以上が信号を受信すると、好ましくはすべてのレシーバーが信号を獲得するまで、レシーバーからの入力に基づいて制御素子によって検出装置が移動する。なお、ここでいう“信号”とは、物体がセンサーの検出ゾーンに入ったことを示す“オン”信号または“オフ”信号を意味する。
【００５５】
別な実施例として、対象動物が小さな、あるいは不規則な乳首をもつ場合には、制御素子は、信号を獲得するためにすべてのセンサーに頼る必要はない。乳首に大小がある場合には、制御素子によって検出装置がＸ−Ｙ方向に移動し、そして制御素子が乳首からのオン/オフ信号を使用して、Ｘ−Ｙ方向における乳首の大きさを実質的に決定する。Ｘ−Ｙ方向における乳首の大きさを決定するさい、決定操作は一回でもよく、あるいはＸ方向およびＹ方向において複数回決定操作を行ってから、制御素子によって、例えば乳房の不規則性からの誤信号にもかかわらず小さな乳首を検出する。当業者ならば、乳首以外の物体を空間において検出するためにも同様なプロセスを利用できることを認識できるはずである。
【００５６】
本発明の一つの実施態様において使用することができる空間における物体の検出決定方法は、以下のステップからなる。
（ａ）本発明の一つかそれ以上の検出装置を開始位置まで移動させるステップ。なお、本発明の一部の実施態様の場合、一つかそれ以上の検出装置それぞれの開始位置は、空間において検出すべき一つかそれ以上の物体のうちの一つの実質的に近傍にあればよい。
（ｂ）狭ビームとして一つかそれ以上の照射ビームを照射するステップ。検出ゾーンは、照射ビームと検出場との交差部に形成すればよい。
（ｃ）検出ゾーン内の一つかそれ以上の物体それぞれから信号を発生し、この信号に基づいて検出された物体それぞれの位置を識別するステップ。
【００５７】
本発明方法には、使用する本発明の実施態様に従って前記以外のステップを付設してもよい。例えば、本発明の方法では、以下のステップのうち任意のステップを利用することができる。
（ｄ）検出された物体それぞれの位置に関する情報、データまたはその他の形態の指示を制御素子、コンピュータ、ＰＬＣなどの別なソース、あるいは例えば搾乳装置などの装置、素子や機器に伝達するステップ。
（ｅ）伝達された情報を使用して、空間において検出された物体に接触させる装置、素子または機器の構成要素の位置を決定するか、あるいは決定された位置において空間における物体を利用するステップ。
（ｃ）検出装置が空間における物体を検出できない場合には、検出装置のすべての、あるいは実質的にすべてのレシーバーが、空間における検出ゾーン内の物体に応答して信号を出力するまで、検出装置を開始位置から例えば検索パターンで別な位置に移動させ、これによって空間における物体を検出するステップ。
【００５８】
当業者ならば、本発明の利用方法または応用方法には、前記以外のステップを付設できることを認識できるはずである。
【００５９】
空間における物体が動物の乳首である本発明の利用方法の一つの実施態様の実施例について、図３に示す動物乳首を参照して以下説明する。図３において、（黒円で示す）動物４０の乳首は、一つかそれ以上の検出ゾーン４１〜４４（白い楕円で示す各センサーの検出ゾーン）を有するセンサーによって検出することができる。図３に示すように、動物の乳首に対して利用することができる本発明の一つの実施態様である方法は以下のステップからなり、そしてこれらステップは、本発明の一つの実施態様に包摂される一つかそれ以上の検出装置それぞれに適用することができる。
（ａ）検出装置を開始位置に移動させ、動物乳首の一つを検出するステップ。なお、開始位置は、乳首が検出された位置に実質的に密接した、あるいは実質的にその近傍の位置であればよい。
（ｂ）検出ゾーン内の乳首に応答して発生した信号などの信号が、検出ゾーン内の乳首に応答して受信された場合に、センサーをトリガーするステップ。
（ｄ）乳首が検出されず、かつ検出装置のセンサーのいずれもトリガーされない場合には、検出装置を開始位置から別な位置に移動させるステップ。例えば、検出装置は、検索パターンでの移動、ＸＹ座標に沿う移動やＺ方向移動などの各種の移動方法で移動させることができる。また、各種の移動を組み合わせて移動を行ってもよい。センサー列のセンサーの少なくとも一つが信号を受信するまで、この操作を反復することができる。
（ｅ）例えば、図３Ａに示すように検出ゾーン４１を画定するセンサーなどのセンサー列内の少なくとも一つのセンサーがトリガーされると、検出装置がセンサー列からなる場合には、検出装置が他のセンサーから信号を受信する方向に移動する。例えば、検出ゾーン４１が乳首４０の範囲に入り、そして出力信号が発生した場合には、この検出装置は、検出ゾーン４２、４３および/または４４を画定するセンサーなどの他のセンサーも出力を受け取り、トリガーされる方向に実質的に移動する。図３Ａに示す構成の場合、検出装置は、破線矢印４５の方向に検出ゾーン４１、４３を結ぶ線にそって移動するため、検出ゾーン４４を画定するセンサーの位置が決まる。
（ｆ）検出ゾーン４１、４４を画定するセンサーが信号を受け取ることができる図３Ｂに示すセンサーの位置決めのさいに生じるように、２つのセンサーが信号を受信すると、出力信号を発信して検出装置をトリガーした破線矢印４６によって示すように、好ましくは２つのトリガーされたセンサーの検出ゾーンに対して実質的に垂直な方向に検出装置が移動するステップ。
（ｇ）検出ゾーン４１、４２、４４を画定するセンサーが信号を受信する図３Ｃに示すセンサーの位置決めのさいに生じるように、ある３つのセンサーが信号を受信すると、乳首の位置が決定されたとのデシジョンが下されるステップ（例えば乳首が小さい動物や乳首が不規則な動物の場合、制御素子がすべてのセンサーに頼らずに信号を獲得し、乳首の位置を識別することができる）。
（ｈ）あるいは、検出装置の第４センサーから信号を得ることができる方向に検出装置を移動させるステップ。場合によっては、移動方向は、矢印４７で示す、出力を与えているセンサーの２つの角部検出ゾーンに対して実質的に垂直なラインに沿う方向であればよい。一例として図３Ｃに示すように、２つの角部検出ゾーンは４２、４４である。図３Ｄは、信号を受信するセンサーすべてを含む検出ゾーン４１−４４の位置決めを示す図である。検出装置のすべてのセンサーから信号が得られると、乳首の位置を識別することができる。
（ｉ）任意の点で、例えば動物の動きによりセンサーのうちいずれかがその信号を失った場合には、信号を失った最後のセンサーを考慮することによって、制御素子が乳首を発見する試みを行うステップ。これは、乳首がその方向に“逸れる”可能性があるからである。
（ｊ）あるいは、任意の点で、例えば動物の動きによりセンサーのうちいずれかがその信号を失った場合には、制御素子によって開始ステップ（ａ）および以降の任意のステップからなるプロセスを反復し、乳首の位置を再度獲得するステップ。
【００６０】
検索パターンは、前記のパターンに限定されず、動物の乳首を検出決定する他の適当な形態の検索を含むものである。例えば、検索パターンは、開始位置から螺旋状パターンとして外側に向かう検索パターンの形を取ってもよく、実質的に曲線状（ドーム状、アーチ状）の形態を取ることも可能であり、異なる形態の検索パターンを組み合わせて使用してもよい。当業者ならば、本発明を実施するさいに、各種の検索パターンを利用できることを認識できるはずである。
【００６１】
本発明の装置は、任意の好適な装置によって移動させることが可能である。例えば、本発明装置は前記のモジュラー式搾乳装置のＥＯＡＴに組み込むことができる。
【００６２】
本発明の空間における物体を検出決定する装置により動物の乳首の位置を識別した後は、乳首カップなどの搾乳装置を（ｉ）検出決定された乳首に向かう方向に移動し、（ｉｉ）動物の乳首に装着し、そして（ｉｉｉ）実質的に動物を搾乳する。例えば、前記のモジュラー式搾乳装置の場合、乳牛の搾乳方法は、
１．開始位置において、モジュラーアームおよびＥＯＡＴを回転することによって搾乳装置のＥＯＡＴに設けた本発明装置のセンサー列を移動させ、乳首位置を探すために走査を行う。
２．アームのセンサー列によって乳首を検出決定した後は、搾乳装置のアームによって乳首カップを検出決定された乳首に装着して搾乳を行う。
【００６３】
乳首カップは、真空化することができる搾乳ラインに接続することができる。真空搾乳ラインが、適切な乳首カップから放出されたミルクを受け取り、これをさらに処理加工する。
【００６４】
以上前記の説明は、本発明の全体に関するもので、状況に応じて、あるいは都合に応じて、形態を変更することができ、等価物と代替してもよい。本明細書では特異的な用語を使用したが、いずれも説明的な意味の用語であり、制限の意図はない。以前記述した以外の実施態様でも本発明は実施可能である。これらはいずれも特許請求の範囲に記載された発明の範囲に包摂されるものと考えられる。
【符号の説明】
【００６５】
２：物体
３：レシーバー手段
４：トランスミッター手段
５：検出場
６：照射ビーム
７：検出ゾーン
１０：センサー列
【図１】
2013530392.tif 000003
【図２Ａ】
2013530392.tif 000004
【図２Ｂ】
2013530392.tif 000005
【図２Ｃ】
2013530392.tif 000006
【図３Ａ】
2013530392.tif 000007
【図３Ｂ】
2013530392.tif 000008
【図３Ｃ】
2013530392.tif 000009
【図３Ｄ】
2013530392.tif 000010
【国際調査報告】
2013530392.tif 000011